(57)【特許請求の範囲】
【請求項１】
上方に開口した第１の空間が形成され、前記第１の空間の内側面に吹出口が形成され、前記第１の空間の内部に使用者が持った状態で挿入された被乾燥物を乾燥可能な挿入乾燥部と、
第２の空間が形成され、前記第２の空間の内部に載置された被乾燥物を乾燥させるための収納乾燥部と、
前記吹出口から吹き出す空気流を生成するための送風手段と、を備え、
前記第１の空間と前記第２の空間とを連通し、前記吹出口から前記第１の空間に吹き出した空気流を前記第２の空間に流入可能にする連絡風路が形成された食器乾燥機。
【請求項２】
前記収納乾燥部は、前記第２の空間の内面に吸込口が形成され、
前記送風手段は、前記吸込口から吸い込んだ空気を前記吹出口から吹き出させる空気流を生成する請求項１に記載の食器乾燥機。
【請求項３】
収納体と、
前記収納体に対し予め定められた引出方向に沿って移動可能に前記収納体に収納される筐体と、を備え、
前記挿入乾燥部及び前記収納乾燥部は、前記筐体内に収容される請求項１又は請求項２に記載の食器乾燥機。
【請求項４】
前記挿入乾燥部は、前記筐体内における前記収納乾燥部よりも前記引出方向の手前側に配置される請求項３に記載の食器乾燥機。
【請求項５】
前記第１の空間は、上側の開口から下方にいくに従って、次第に前記引出方向の手前側から奥側にいくように傾けられて延びている請求項４に記載の食器乾燥機。
【請求項６】
前記挿入乾燥部及び前記収納乾燥部は、前記筐体内に、前記引出方向に直交する方向に並べて配置される請求項３に記載の食器乾燥機。
【請求項７】
前記第１の空間内に着脱自在に設けられた残菜受けを備えた請求項１から請求項６のいずれか一項に記載の食器乾燥機。
【請求項８】
前記吹出口は、前記第１の空間の相対する内側面のそれぞれに設けられ、互いに対向する方向に空気流を吹き出すように設けられる請求項１から請求項７のいずれか一項に記載の食器乾燥機。
【発明の詳細な説明】
【技術分野】
【０００１】
この発明は、食器乾燥機に関するものである。
【背景技術】
【０００２】
従来における食器乾燥機においては、軽く水切りされた物を収納して乾燥させるための乾燥機構を備えた引き出し型の乾燥キャビネットが知られている。このような乾燥キャビネットでは、例えばフライパンのような調理器具や食器等を乾燥キャビネットの内部に収納し、乾燥機構により乾燥させることができる（例えば、特許文献１参照）。
【先行技術文献】
【特許文献】
【０００３】
【特許文献１】特許第４６２１５４５号公報
【発明の概要】
【発明が解決しようとする課題】
【０００４】
しかしながら、特許文献１に示された従来における食器乾燥機においては、フライパン等の比較的大型の調理器具と茶碗又は皿等の比較的小型の食器とを一緒に乾燥キャビネット内に収納して乾燥させるため、比較的大きな被乾燥物が乾燥キャビネット内の大きな空間を占めてしまい、乾燥キャビネット内の空間の使用効率が悪化してしまう。さらに、比較的大きな被乾燥物が乾燥キャビネット内にあることで、乾燥機構からの風が当たりにくい死角が生じやすく、比較的小さな被乾燥物を十分に乾燥させることが困難な場合がある。
【０００５】
また、比較的大きな被乾燥物は乾燥時に除去が必要な水分が多いため乾燥させにくく、速やかに乾燥させることが難しい。特に、フライパン等の調理器具は、一旦洗浄した後に続けて調理に使用したい場面があり、そのような場面であっても当該調理器具だけを速やかに乾燥させることが困難である。
【０００６】
この発明は、このような課題を解決するためになされたもので、比較的大きな被乾燥物を速やかに乾燥させることができる一方で、比較的小さな被乾燥物も十分に乾燥させることができ、かつ、簡潔な構成である食器乾燥機を得るものである。
【課題を解決するための手段】
【０００７】
この発明に係る食器乾燥機は、上方に開口した第１の空間が形成され、前記第１の空間の内側面に吹出口が形成され、前記第１の空間の内部に使用者が持った状態で挿入された被乾燥物を乾燥可能な挿入乾燥部と、第２の空間が形成され、前記第２の空間の内部に載置された被乾燥物を乾燥させるための収納乾燥部と、前記吹出口から吹き出す空気流を生成するための送風手段と、を備え、前記第１の空間と前記第２の空間とを連通し、前記吹出口から前記第１の空間に吹き出した空気流を前記第２の空間に流入可能にする連絡風路が形成される。
【発明の効果】
【０００８】
この発明に係る食器乾燥機においては、簡潔な構成でもって、比較的大きな被乾燥物を速やかに乾燥させることができる一方で、比較的小さな被乾燥物も十分に乾燥させることができるという効果を奏する。
【図面の簡単な説明】
【０００９】
【図１】この発明の実施の形態１に係る食器乾燥機の全体構成を示す縦断面透視図である。
【図２】この発明の実施の形態１に係る食器乾燥機の動作系統の構成を示すブロック図である。
【図３】この発明の実施の形態１に係る食器乾燥機の挿入乾燥装置の使用中の例を示す図である。
【図４】この発明の実施の形態１に係る食器乾燥機の収納乾燥装置の使用中の例を示す図である。
【図５】この発明の実施の形態１に係る食器乾燥機のキッチンへの設置例を示す図である。
【図６】この発明の実施の形態１に係る食器乾燥機の挿入乾燥装置及び収納乾燥装置の配置の一例を示す図である。
【図７】この発明の実施の形態１に係る食器乾燥機の挿入乾燥装置及び収納乾燥装置の配置の他の例を示す図である。
【発明を実施するための形態】
【００１０】
この発明を添付の図面を参照しながら説明する。各図を通じて同符号は同一部分又は相当部分を示している。同符号の部分についての重複説明は適宜に簡略化あるいは省略する。
【００１１】
実施の形態１．
図１から図７は、この発明の実施の形態１に係るもので、図１は食器乾燥機の全体構成を示す縦断面透視図、図２は食器乾燥機の動作系統の構成を示すブロック図、図３は食器乾燥機の挿入乾燥装置の使用中の例を示す図、図４は食器乾燥機の収納乾燥装置の使用中の例を示す図、図５は食器乾燥機のキッチンへの設置例を示す図、図６は食器乾燥機の挿入乾燥装置及び収納乾燥装置の配置の一例を示す図、図７は食器乾燥機の挿入乾燥装置及び収納乾燥装置の配置の他の例を示す図である。
【００１２】
図１に示すように、食器乾燥機１００は、収納体１１０と筐体１２０とを備えている。収納体１１０は、一側面、具体的に例えば手前側の面（図１に向かって左側の面）が開放された箱状である。また、筐体１２０は、収納体１１０よりも一回り小さい箱状であり、上面が開放されている。筐体１２０は、収納体１１０の内側に収納される。そして、筐体１２０は、収納体１１０に対し予め定められた引出方向に沿って移動可能である。この引出方向は、ここでは、図１中に太矢印で示しているように図面に向かって左右方向である。
【００１３】
筐体１２０内には、挿入乾燥装置２００及び収納乾燥装置３００が収容されている。この図１に示す例では、挿入乾燥装置２００は、筐体１２０内における収納乾燥装置３００よりも前記引出方向の手前側に配置されている。挿入乾燥装置２００（挿入乾燥部）の内部には、挿入乾燥空間２０１（第１の空間）が形成されている。挿入乾燥空間２０１は、開口２０２を介して、挿入乾燥装置２００の外部と通じている。開口２０２は、挿入乾燥装置２００の上部に形成されている。すなわち、この開口２０２により、挿入乾燥空間２０１の上方が挿入乾燥装置２００の外部へと開放されている。
【００１４】
挿入乾燥空間２０１の内側面には、吹出口２１０が形成されている。より詳しくは、吹出口２１０は、挿入乾燥空間２０１の相対する内側面のそれぞれに設けられている。具体的に、ここでは、相対する手前側面２０３及び奥側面２０４のそれぞれに吹出口２１０が設けられる。また、これらの吹出口２１０は、互いに対向する方向に空気流を吹き出すように設けられる。
【００１５】
挿入乾燥装置２００の内部には、送風路２２０が形成されている。送風路２２０は挿入乾燥空間２０１の手前側と奥側の二手に分かれている。手前側の送風路２２０は挿入乾燥空間２０１の手前側面２０３に形成された吹出口２１０に通じている。また、奥側の送風路２２０は挿入乾燥空間２０１の奥側面２０４に形成された吹出口２１０に通じている。
【００１６】
送風路２２０が手前側と奥側とに分岐する箇所の上流側には、送風機２３０が取り付けられている。送風機２３０は、後述する吸込口３３０から吸い込んだ空気を吹出口２１０から高速空気流として噴出させるための送風手段である。
【００１７】
また、送風機２３０よりも下流側の送風路２２０内には、ヒータ２４０が設置されている。ヒータ２４０は、送風路２２０内の空気を温め、吹出口２１０から噴出される空気流を温風にするためのものである。なお、ヒータ２４０は、送風路２２０の分岐部より上流側に配置される。
【００１８】
第１の空間（挿入乾燥空間２０１）内には、残菜受け部２５０が着脱自在に設けられている。残菜受け部２５０は、例えば、メッシュ状の凹型を呈する容器からなる。残菜受け部２５０は、挿入乾燥空間２０１内に取り付けられた状態で、挿入乾燥空間２０１の底面全体と、各内側面の底面に接する部分とを覆っている。この残菜受け部２５０により、挿入乾燥空間２０１内に挿入された被乾燥物から落下した食品カス等の異物を捕集することができる。前述したように残菜受け部２５０は着脱可能に取り付けられているため、残菜受け部２５０を取り外して溜まった異物を取り除く等のメンテナンスを容易に行うことができる。
【００１９】
収納乾燥装置３００（収納乾燥部）は、上面が開放された箱状を呈し、収納乾燥装置３００の内側には収納乾燥空間３０１（第２の空間）が形成されている。収納乾燥空間３０１内には、食器かご３１０が配置されている。食器かご３１０は、被乾燥物である食器等が載置される。食器かご３１０は、収納乾燥装置３００の収納乾燥空間３０１内から取り外すことが可能である。
【００２０】
食器かご３１０の下方には、水受け部３２０が設けられている。この水受け部３２０は、食器かご３１０内の被乾燥物から落ちた水を受け止めるためのものである。収納乾燥空間３０１（第２の空間）の内面には、吸込口３３０が形成されている。ここでは、収納乾燥空間３０１の手前側の面と奥側の面にそれぞれ吸込口３３０が配置されている。このように吸込口３３０は収納乾燥空間３０１の内側面に配置することで、吸込口３３０に異物等が入りにくくすることができる。ただし、吸込口３３０は収納乾燥空間３０１の内側面に限られず、収納乾燥空間３０１の内面のいずれの箇所に設けてもよい。また、吸込口３３０の数もこれに限定されない。
【００２１】
収納乾燥装置３００の内部には、戻り風路３４０が形成されている。戻り風路３４０の一端側は、吸込口３３０に通じている。そして、戻り風路３４０の他端側は、挿入乾燥装置２００の送風機２３０へと通じている。
【００２２】
挿入乾燥空間２０１と収納乾燥空間３０１とは、連絡風路４００により連通されている。ここでは、筐体１２０を収納体１１０内に収納した状態で挿入乾燥装置２００及び収納乾燥装置３００の上面と筐体１２０の上側の内面との間に形成される空間が連絡風路４００である。連絡風路４００は、第１の空間である挿入乾燥空間２０１と第２の空間である収納乾燥空間３０１とを連通し、吹出口２１０から挿入乾燥空間２０１に吹き出した空気流を収納乾燥空間３０１に流入可能にしている。
【００２３】
なお、連絡風路４００は、このように挿入乾燥装置２００及び収納乾燥装置３００の上方に形成する他に、例えば、挿入乾燥空間２０１の奥側面２０４と、収納乾燥空間３０１の手前側の面とを貫通するように形成することも考えられる。
【００２４】
筐体１２０の上端部には、シール部材１２１が取り付けられている。シール部材１２１は、筐体１２０を収納体１１０内に収納した状態で、筐体１２０の上側の内面に接触するように設けられる。このシール部材１２１により、筐体１２０を収納体１１０内に収納した状態で、挿入乾燥空間２０１、収納乾燥空間３０１及び連絡風路４００を含む筐体１２０内の空間について、一定の気密性が保たれるようになっている。
【００２５】
以上のように構成された食器乾燥機１００の送風機２３０の動作時における空気流の経路は、図１中の細矢印で示されている。送風機２３０が動作すると、戻り風路３４０に負圧が発生し吸込口３３０から戻り風路３４０へと空気が取り込まれる。そして、戻り風路３４０を通過した空気は、送風機２３０及びヒータ２４０を経由して送風路２２０を通る。送風路２２０を通過した空気は、手前側面２０３の吹出口２１０及び奥側面２０４の吹出口２１０から空気流となって挿入乾燥空間２０１内に噴出される。
【００２６】
挿入乾燥空間２０１内に噴出された空気流は、開口２０２から挿入乾燥装置２００の外部へと出る。前述したようにシール部材１２１により筐体１２０内の空間について一定の気密性が保たれている。このため、挿入乾燥装置２００の外部へと出た空気流は、連絡風路４００を通って収納乾燥装置３００の収納乾燥空間３０１へと入る。
【００２７】
収納乾燥空間３０１へと流入した空気は、吸込口３３０から戻り風路３４０へと入る。このように、挿入乾燥空間２０１と収納乾燥空間３０１とが連絡風路４００により通じているため、挿入乾燥空間２０１と収納乾燥空間３０１とを通って循環する空気流の経路が形成される。
【００２８】
挿入乾燥装置２００の挿入乾燥空間２０１の内側面には、挿入検知センサ２６０が取り付けられている。挿入検知センサ２６０は、開口２０２から挿入乾燥空間２０１内へと挿入された被乾燥物を検知するためのものである。ここでは、挿入検知センサ２６０は、手前側面２０３の開口２０２近傍に配置されている。挿入検知センサ２６０は、例えば、フォトカプラを利用した光学式センサ等を用いることができる。
【００２９】
また、収納体１１０の上側の内面には、開閉検知センサ１３０が取り付けられている。開閉検知センサ１３０は、収納体１１０に筐体１２０が収納されているか（すなわち閉じられているか）、あるいは、収納体１１０から筐体１２０が引き出されているか（すなわち開かれているか）を検知するためのものである。開閉検知センサ１３０は、例えば、マイクロスイッチ又は光学式センサ等を用いることができる。なお、開閉検知センサ１３０の設置箇所は、収納体１１０側に限られず、筐体１２０側に設置してもよい。
【００３０】
次に、図２を参照しながら、食器乾燥機１００の動作系統の構成について説明する。開閉検知センサ１３０及び挿入検知センサ２６０の検知信号は、制御部５００に入力される。そして、制御部５００は、これらのセンサの検知結果に基づいて、送風機２３０及びヒータ２４０の動作を制御する。
【００３１】
制御部５００は、開閉検知センサ１３０により筐体１２０が収納体１１０から引き出された状態であることが検知され、かつ、挿入検知センサ２６０により挿入乾燥空間２０１内に被乾燥物が挿入されていることが検知されている場合に、送風機２３０を強運転で動作させる。また、制御部５００は、開閉検知センサ１３０により筐体１２０が収納体１１０に収納された状態であることが検知され、かつ、挿入検知センサ２６０により挿入乾燥空間２０１内に被乾燥物が挿入されていないことが検知されている場合に、送風機２３０を弱運転で動作させる。
【００３２】
なお、制御部５００は、送風機２３０を動作させる際には、原則としてヒータ２４０も動作させて吹出口２１０から噴出させる空気流を温風とする。ただし、ヒータ２４０を動作させて温風とするか、ヒータ２４０を動作させずに冷風のままとするかは、使用者が選択することができるようにしてもよい。
【００３３】
また、ヒータ２４０としては、ＰＴＣ（Ｐｏｓｉｔｉｖｅ  Ｔｅｍｐｅｒａｔｕｒｅ  Ｃｏｅｆｆｉｃｉｅｎｔ）特性を有するものを使用することが望ましい。ヒータ２４０としてＰＴＣ特性を有するものを用いることで、ヒータ２４０の温度が一定温度以上に上昇しないようにすることができる。図示しない主電源スイッチを筐体１２０の前面等に設置し、各センサの検知結果に基づく自動制御だけではヒータ２４０又は送風機２３０への電力供給を手動で切ることができるようにしてもよい。
【００３４】
以上のように構成された食器乾燥機１００において、被乾燥物である例えばフライパン６００を手早く乾燥させて使用したい場合には、主に挿入乾燥装置２００を用いるとよい。この場合、図３に示すように、まず、収納体１１０から筐体１２０を引き出す。この際、挿入乾燥装置２００のみを用いるので、前記引出方向の手前側に配置されている挿入乾燥装置２００が収納体１１０より外に出るように筐体１２０を引き出すだけで十分である。
【００３５】
そして、使用者が手に持ったフライパン６００を開口２０２から挿入乾燥空間２０１内に挿入すると、前述したように送風機２３０は強運転で動作する。したがって、吹出口２１０から噴出される強い空気流により、フライパン６００に付着した水を吹き飛ばしつつ、フライパン６００を速やかに乾燥させることができる。この際、吹出口２１０は、挿入乾燥装置２００の相対する内側面のそれぞれに設けられ、互いに対向する方向に空気流を吹き出すため、被乾燥物であるフライパン６００の両面から同時に乾燥させることが可能である。
【００３６】
また、使用者が被乾燥物であるフライパン６００を手に持ったままの状態で乾燥させるため、使用者は、望む箇所に空気流が当たるように、挿入乾燥空間２０１内における被乾燥物（フライパン６００）の位置を、自分で調整することができる。したがって、被乾燥物の乾燥が必要な箇所に重点的に空気流を当てることができ、効率的に乾燥させることが可能である。
【００３７】
なお、挿入乾燥空間２０１（第１の空間）は、上側の開口２０２から下方にいくに従って、次第に前記引出方向の手前側から奥側にいくように傾けられて延びている。このため、使用者は被乾燥物（フライパン６００等）を手前側から容易に挿入乾燥空間２０１内へと挿入することができる。
【００３８】
次に、それほど急ぎでなく次に使用する時までに乾燥を行えばよい場合には、主に収納乾燥装置３００を用いるとよい。この場合、まず、筐体１２０を収納乾燥装置３００が収納体１１０の外に出るまで引き出す。次に、被乾燥物である例えばフライパン６００を収納乾燥空間３０１内の食器かご３１０に入れる。そして、筐体１２０を収納体１１０内に収納し、図４に示す状態となる。
【００３９】
この状態においては、前述したように送風機２３０は弱運転で動作し、吹出口２１０から噴出した空気流は、連絡風路４００を通って収納乾燥空間３０１に達し、食器かご３１０の被乾燥物（フライパン６００等）を乾燥させる。したがって、送風機２３０は弱運転であるから、動作音を小さく抑えた状態で、被乾燥物であるフライパン６００を乾燥させることができる。
【００４０】
次に、図５を参照しながら、以上のように構成された食器乾燥機１００をキッチン台に組み込んで設置した場合について説明する。この図５に示すように、キッチン台７００は、例えば対面式であり、室内空間をキッチン側とダイニング側とに仕切るように配置されている。キッチン台７００の上面における一端寄りの位置には、シンク７１０が設けられている。また、キッチン台７００の上面における他端寄りの位置には、コンロ７２０が設けられている。
【００４１】
キッチン台７００には、食器乾燥機１００が組み込まれている。食器乾燥機１００の収納体１１０及び筐体１２０は、キッチン台７００のシンク７１０とコンロ７２０との間に配置される。このように、食器乾燥機１００をシンク７１０とコンロ７２０との間に配置することで、使用者がシンク７１０の前にいる場合でも、コンロ７２０の前にいる場合でも、容易に食器乾燥機１００を利用することができる。
【００４２】
なお、以上で説明した食器乾燥機１００においては、図６に示すように挿入乾燥装置２００が、筐体１２０内における収納乾燥装置３００よりも前記引出方向の手前側に配置されている。このような配置にすることで、挿入乾燥装置２００だけ使用したい場合には、キッチン台７００から挿入乾燥装置２００が出るように筐体１２０を引き出すだけでよい。
【００４３】
一方、筐体１２０内における挿入乾燥装置２００及び収納乾燥装置３００の配置の他の例として、図７に示すようなものにしてもよい。この図７に示す例では、挿入乾燥装置２００及び収納乾燥装置３００は、筐体１２０内に、前記引出方向に直交する方向に並べて配置される。このように配置することで、筐体１２０を全部引き出さなくとも挿入乾燥装置２００及び収納乾燥装置３００の両方を使用することができる。
【００４４】
また、以上においては、筐体１２０が収納体１１０の一方側にのみ引き出すことができる場合について説明した。すなわち、図１において収納体１１０から筐体１２０は図面に向かって左側に移動して引き出される。この点について、筐体１２０が収納体１１０の複数の側に引き出すことができるようにしてもよい。具体的に例えば、図１において収納体１１０から筐体１２０を図面に向かって右側に移動して引き出すことができるようにしてもよい。すなわち、筐体１２０を収納体１１０の両側に引き出すことができるようにしてもよい。
【００４５】
このようにすることで、例えば、図５に示したような対面式のキッチン台７００に食器乾燥機１００を組み込んで設置した場合に、筐体１２０をキッチン側とダイニング側の両方から引き出して食器乾燥機１００を利用することができるため、利便性を向上することが可能である。
【００４６】
以上のように構成された食器乾燥機１００は、上方に開口した第１の空間である挿入乾燥空間２０１が形成され、第１の空間の内側面に吹出口２１０が形成された挿入乾燥部である挿入乾燥装置２００と、第２の空間である収納乾燥空間３０１が形成された収納乾燥部である収納乾燥装置３００と、吹出口２１０から吹き出す空気流を生成するための送風手段である送風機２３０とを備えている。そして、第１の空間と第２の空間とを連通し、吹出口２１０から第１の空間に吹き出した空気流を第２の空間に流入可能にする連絡風路４００が形成されている。
【００４７】
このため、比較的大きな被乾燥物は、挿入乾燥装置２００を用いて速やかに乾燥させることができる。そして、比較的大きな被乾燥物を挿入乾燥装置２００で乾燥させることで、挿入乾燥装置２００では乾燥させにくい比較的小さな被乾燥物のみを収納乾燥装置３００で乾燥させるようにすることができ、収納容量を無駄にすることなく、比較的小さな被乾燥物も十分に乾燥させることが可能である。
【００４８】
また、挿入乾燥空間２０１と収納乾燥空間３０１とを連絡風路４００で通じさせて、挿入乾燥空間２０１内の吹出口２１０から吹き出した空気流を収納乾燥空間３０１に流入可能にすることで、挿入乾燥装置２００と収納乾燥装置３００のそれぞれに個別に送風手段を設けることなく、１つの送風機２３０でもって挿入乾燥装置２００と収納乾燥装置３００に空気流を送って被乾燥物を乾燥させることができ、簡潔な構成とすることが可能である。
【００４９】
加えて、収納乾燥空間３０１の内面に吸込口３３０を形成し、送風手段である送風機２３０は、この吸込口３３０から吸い込んだ空気を吹出口２１０から吹き出させる空気流を生成するようにすることで、収納乾燥空間３０１内の圧力を低くして連絡風路４００から効率的に空気流を収納乾燥空間３０１内に流入させることができる。そして、挿入乾燥空間２０１と収納乾燥空間３０１との間で効率的に空気を循環させて、被乾燥物を効果的に乾燥させることが可能である。
【００５０】
さらに、収納体１１０に対し予め定められた引出方向に沿って移動可能に収納される筐体１２０を備えた上で、挿入乾燥装置２００及び収納乾燥装置３００を筐体１２０内に収容することで、筐体１２０を収納体１１０から引き出すことで、挿入乾燥装置２００及び収納乾燥装置３００を使用することができ、利便性及び食器乾燥機１００の設置性を向上することができる。
【符号の説明】
【００５１】
１００  食器乾燥機、  １１０  収納体、  １２０  筐体、  １２１  シール部材、  １３０  開閉検知センサ、  ２００  挿入乾燥装置、  ２０１  挿入乾燥空間、  ２０２  開口、  ２０３  手前側面、  ２０４  奥側面、  ２１０  吹出口、  ２２０  送風路、  ２３０  送風機、  ２４０  ヒータ、  ２５０  残菜受け部、  ２６０  挿入検知センサ、  ３００  収納乾燥装置、  ３０１  収納乾燥空間、  ３１０  食器かご、  ３２０  水受け部、  ３３０  吸込口、  ３４０  戻り風路、  ４００  連絡風路、  ５００  制御部、  ６００  フライパン、  ７００  キッチン台、  ７１０  シンク、  ７２０  コンロ
【図１】
0006565199.tif 000002
【図２】
0006565199.tif 000003
【図３】
0006565199.tif 000004
【図４】
0006565199.tif 000005
【図５】
0006565199.tif 000006
【図６】
0006565199.tif 000007
【図７】
0006565199.tif 000008